(57)【要約】【課題】  スキャナーの清掃を容易にするとともに装置の小型化を図り、かつ製造コストを低減する。【解決手段】  カード搬送路６を搬送されるカードＣの情報を読み取るスキャナー１０の読取り面１１がカード搬送路６に近接して対向している。駆動軸２０に軸着された駆動ローラ２５と、従動軸２７に軸着された従動ローラ２８との間には無端ベルト３５が張架されている。この無端ベルト３５にはカードＣの後端に係合し、カードＣを搬送する搬送部材３６が設けられ、搬送部材３６の先端には、スキャナー１０の読取り面１１に摺接する清掃部材３７が設けられている。【選択図】  図６
2006172087.tif 000002
【特許請求の範囲】
【請求項１】
駆動源によって回転する駆動ローラと、この駆動ローラからカード搬送方向に離間した従動ローラと、これら従動ローラと駆動ローラとの間に張架された無端ベルトと、この無端ベルトの表面に設けられカードの前端または後端に係合する搬送部材と、前記駆動ローラと一体的に回転する搬送ローラと、この搬送ローラに対接するピンチローラと、前記無端ベルト上を搬送されるカードの情報を読み取るスキャナーと、前記搬送部材に前記スキャナーの読取り面を清掃する清掃部材とを備えたことを特徴とするカード処理装置。
【発明の詳細な説明】
【技術分野】
【０００１】
本発明は、カード搬送路を搬送されるカードの情報を読み取るスキャナーを備えたカード処理装置に関するものである。
【背景技術】
【０００２】
この種のカード処理装置においては、装置内に浮遊する塵埃等がスキャナーの読取り面に付着することによって、スキャナーがカードの情報を読み誤ってしまうおそれがあるため、定期的に読取り面を清掃する必要がある。従来のカード処理装置は、カードを挿入する挿入・排出口と、この挿入・排出口から挿入されたカードを搬送するフィードローラと、搬送されるカードに印字されたバーコードを読み取るスキャナとを備えている（例えば、特許文献１参照）。また、搬送路中に設けられた裏面用密着センサのスキャナ面に対向するように清掃機構を設け、この清掃機構を、タイミングベルトを駆動するモータとタイミングベルトの移動と一体的に移動するクリーナパッドと、このクリーナパッドを案内する案内手段とによって構成したものがある（例えば、特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】特開平１０−３２６３２８号公報（段落「００１１」、図１）
【特許文献２】特開平５−２７４４６９号公報（段落「００２２」〜「００３５」、図２および図３）
【発明の開示】
【発明が解決しようとする課題】
【０００３】
上述した従来のカード処理装置のうち、前者の装置においては、特別にスキャナの汚れを清掃する装置が備えられていないため、スキャナの読取り面が汚れた場合には、装置のカバー等を開いて布等を使って手作業により清掃することになり、手間がかかるという問題があった。また、後者の装置においては、カード処理装置内にスキャナの読取り面を専用に清掃する清掃機構を特別に設ける構造であるため、装置全体が大型化するというばかりではなく、部品点数が増加するため製造コストが増大するという問題があった。
【０００４】
本発明は上記した従来の問題に鑑みなされたものであり、その目的とするところは、スキャナーの清掃を容易にするとともに装置の小型化を図り、かつ製造コストを低減することにある。
【課題を解決するための手段】
【０００５】
この目的を達成するために、請求項１に係る発明は、駆動源によって回転する駆動ローラと、この駆動ローラからカード搬送方向に離間した従動ローラと、これら従動ローラと駆動ローラとの間に張架された無端ベルトと、この無端ベルトの表面に設けられカードの前端または後端に係合する搬送部材と、前記駆動ローラと一体的に回転する搬送ローラと、この搬送ローラに対接するピンチローラと、前記無端ベルト上を搬送されるカードの情報を読み取るスキャナーと、前記搬送部材に前記スキャナーの読取り面を清掃する清掃部材とを備えたものである。
【発明の効果】
【０００６】
本発明によれば、カードを搬送する搬送部材にスキャナーの読取り面を清掃する清掃部材を設け、この搬送部材によってカードを搬送する際に同時にスキャナーの清掃をするようにしたことにより、清掃部材を搬送する専用の駆動装置が不要になるため、装置の小型化を図ることができるとともに製造コストを低減することができる。また、カードの搬送毎にスキャナーの読取り面を清掃できるため、スキャナーでカードの情報を読み取る際は、常に読取り面が清浄な状態になっているので、スキャナーによってカードの情報を読み誤ることがない。
【発明を実施するための最良の形態】
【０００７】
以下、本発明の実施の形態を図に基づいて説明する。図１は本発明に係るカード処理装置においてアッパーケースを外した状態を示す平面図、図２は同じく側面図、図３は図１におけるIII-III 線断面図、図４は図１におけるIV-IV 線断面図、図５は同じくスキャナーでカードの情報を読み取っている状態を示す図１におけるIII-III 線断面図、図６は同じくスキャナーによるカードの情報の読み取りが終了し、搬送部材によってカードを搬送している状態を示す図１におけるIII-III 線断面図、図７はスキャナーで情報が読み取られたカードを搬送している状態を示す図１におけるIV-IV 線断面図である。なお、図３および図５ならびに図６においては、説明の便宜上第１および第２のピンチローラの図示は省略してある。
【０００８】
図３に全体を符号１で示すカード処理装置は、アッパーケース２とロアーケース３とによって筺体が形成されており、これらアッパーケース２の底部４とロアーケース３の天井部５との間にカード搬送路６が形成されている。このカード搬送路６の図中右端側にカード挿入口部材７が取り付けられ、このカード挿入口部材７には、カード搬送路６に連通されたカード挿入口８が設けられており、このカード挿入口８と反対側であるカード搬送路６の左端にはカード排出口９が設けられている。
【０００９】
１０はスキャナーであって、カードＣの表面に付されている情報を読み取る読取り面１１が、カード搬送路６に近接して対向するようにアッパーケース２に取り付けられており、このスキャナー１０は、図４に示すように後述する第１および第２のピンチローラ３９，４１間に位置付けられている。アッパーケース２の底部４には、スキャナー１０の読取り面１１に対応した部位およびピンチローラ３９，４１をカード搬送路６に臨ませる部位に窓１２が設けられている。
【００１０】
図１において、１３は駆動源としてのモータであって、ロアーケース３の一方の側板１４に取り付けられており、このモータ１３の出力軸は側板１４の外側に突出し、この出力軸には、図２に示すようにモータギア１５が軸着されている。このモータギア１５には大径ギア１６が噛合し、この大径ギア１６と同軸上に一体形成された小径ギア１７には伝達ギア１８が噛合し、これらギア１６，１７，１８によって減速歯車機構１９を構成している。
【００１１】
２０はロアーケース３の両側板１４，２１間に回転自在に支持された駆動軸であって、この駆動軸２０の側板１４から外側に突出した部位には駆動プーリ２２が軸着されており、この駆動プーリ２２と上記したギア１８に同軸上に一体形成されたプーリ２３との間には駆動伝達用ベルト２４が張架されている。駆動軸２０のロアーケース３内に位置する部位には、図１に示すように軸線方向が長さＤに形成された駆動ローラ２５と、軸線方向が長さＤより短くかつ駆動ローラ２５の径よりもわずかに大きい径に形成された第１の搬送ローラ２６とが軸着されている。
【００１２】
２７はロアーケース３の両側板１４，２１間に回転自在に支持された従動軸であって、駆動軸２０よりもカード搬送方向である矢印Ａ方向に離間しており、この従動軸２７の側板１４の外側に突出した部位には従動プーリ２８が軸着され、この従動プーリ２８と上記した駆動プーリ２２との間には駆動伝達用ベルト２９が張架されている。従動軸２７のロアーケース３内に位置する部位には、軸線方向が長さＤに形成され上記した駆動ローラ２５と同じ径に形成された従動ローラ３０と、軸線方向が長さＤよりも短くかつ従動ローラ３０の径よりもわずかに大きい径でかつ上記した第１の搬送ローラ２６と同じ径に形成された第２の搬送ローラ３１とが軸着されている。
【００１３】
これら駆動ローラ２５と第１の搬送ローラ２６とは、図３に示すようにロアーケース３の天井部５に設けた窓３２からカード搬送路６内に臨み、従動ローラ３０と第２の搬送ローラ３１とは、ロアーケース３の天井部５に設けた窓３３からカード搬送路６内に臨んでいる。駆動ローラ２５と従動ローラ３０との間には、幅がＤに形成された無端ベルト３５が張架されており、この無端ベルト３５の表面の一部には、この無端ベルト３５の走行方向（矢印Ａ−Ｂ方向）と直交する方向で無端ベルト３５の幅Ｄと同じ長さに形成された搬送部材３６が突設されている。第１の搬送ローラ２６と第２の搬送ローラ３１との軸間距離Ｌ１は、図４に示すようにカードＣの全長Ｌ２よりも長く形成されている。
【００１４】
この搬送部材３６は、後述するように無端ベルト３５が矢印Ａ−Ｂ方向に走行することにより、カード搬送路６内であって、第１のピンチローラ３９と第１の搬送ローラ２６とで挟持されてなく、かつ第２のピンチローラ４１と第２の搬送ローラ３１とで挟持されていないカードＣの後端と前端とに係合し、カードＣを矢印Ａ−Ｂ方向へ搬送する。また、この搬送部材３６の先端には清掃部材３７が着脱自在に取り付けられており、この清掃部材３７は、後述するように無端ベルト３５が走行することにより、上記したスキャナー１０の読取り面１１に摺接する。清掃部材３７としては、刷毛や清掃用の不織布等が用いられ、搬送部材３６に対して容易に着脱できる構造であることが望ましい。また、搬送部材３６と清掃部材３７とを一体に形成し、これを無端ベルト３５に対して着脱自在の構造としてもよい。
【００１５】
図４において、３９はアッパーケース２の両側板に横架された軸４０に回転自在に支持された第１のピンチローラであって、窓１２からカード搬送路６内に臨み上記した第１の搬送ローラ２６に対接している。４１はアッパーケース２の両側板に横架された軸４２に回転自在に支持された第２のピンチローラであって、窓１２からカード搬送路６内に臨み上記した第２の搬送ローラ３１に対接している。
【００１６】
図１において、４３はロアーケース３の他方の側板２１に取り付けられたソレノイドであって、進退自在なロッド４４には、図３に示すように側板２１に軸４５を介して揺動自在に支持されたストッパ部材４６の下端部４６ａが枢着されている。ストッパ部材４６はクランク状に形成されており、上端部に形成した係止部４６ｂが窓３３からカード搬送路６に進退自在となっている。すなわち、ソレノイド４３のロッド４４が後退することにより、ストッパ部材４６が軸４５を中心として図中時計方向へ回動し、係止部４６ｂが窓３３からカード搬送路６内に進出して、カード搬送路６内を矢印Ａ方向に搬送されてきたカードＣの前端に係合し、カードＣを所定の読取り位置に停止させる。一方、ソレノイド４３のロッド４４が前進することにより、ストッパ部材４６が軸４５を中心として図７中反時計方向へ回動し、係止部４６ｂがカード搬送路６から退出する。
【００１７】
次に、主に図４ないし図７を用いて、このように構成されたカード処理装置において、スキャナーの読取り面を清掃する動作について説明する。予め、図４に示すように、ソレノイド４３のロッド４４を後退させておくことにより、ストッパ部材４６の係止部４６ｂを窓３３からカード搬送路６内に進出させておく。この状態で、カードＣをカード挿入口８からカード搬送路６内に挿入すると、カードＣが挿入されたことを図示を省略したセンサが検知することにより、モータ１３が正方向へ駆動し、モータ１３の駆動は減速歯車機構１９および駆動伝達ベルト２４を介して駆動軸２０に伝達され、駆動軸２０が図中反時計方向に回転する。
【００１８】
したがって、第１の搬送ローラ２６とこれと対接している第１のピンチローラ３９とによって前端部が挟持されたカードＣは、第１の搬送ローラ２６の反時計方向への回転により、カード搬送路６内を矢印Ａ方向に搬送される。同時に、駆動軸２０に軸着されている駆動ローラ２５が反時計方向へ回転し、かつ駆動伝達用ベルト２９を介して従動軸２７が反時計方向へ回転するから、この従動軸２７に軸着された従動ローラ２８が反時計方向へ回転する。したがって、駆動ローラ２５と従動ローラ２８間に張架された無端ベルト３５が反時計方向に走行する。
【００１９】
第１の搬送ローラ２６と第１のピンチローラ３９とによって、カード搬送路６内を矢印Ａ方向へ搬送されるカードＣの後端が、これら両ローラ２６，３９による挟持が解除されると、第１の搬送ローラ２６と第２の搬送ローラ３１との軸間距離Ｌ１がカードＣの全長Ｌ２よりも長く形成されているため、カードＣは第２の搬送ローラ３１と第２のピンチローラ４１とにも挟持されない状態になる。この状態でカードＣは一旦搬送が停止し、この後、反時計方向へ走行する無端ベルト３５の搬送部材３６が、図５に示すようにカードの後端に係合することにより、カードＣは再び矢印Ａ方向へ搬送される。カードＣが矢印Ａ方向へわずかに搬送され、搬送部材３６がスキャナー１０の矢印Ｂ側端部に位置付けられ、前端がストッパ部材４６の係止部４６ｂに当接することにより、モータ１３の駆動が停止しカードＣの搬送も停止する。このカードＣの停止状態で、スキャナー１０によってカードＣの表面の情報が読み取られる。
【００２０】
スキャナー１０による読取りの結果、カードＣが正カードと判定された場合は、ソレノイド４３のロッド４４が前進し、図６に示すように、ストッパ部材４６の係止部４６ｂがカード搬送路６内から退出する。同時に、モータ１３が正方向へ駆動し、無端ベルト３５が反時計方向に走行するため、カードＣは搬送部材３６によって矢印Ａ方向へ搬送されるとともに、第１および第２の搬送ローラ２６，３１が反時計に回転する。
【００２１】
搬送部材３６によって矢印Ａ方向へ搬送されたカードＣは、前端部が第２の搬送ローラ３１と第２のピンチローラ４１とによって挟持されると、両ローラ３１，４１とによって矢印Ａ方向へ搬送され、カード排出口９から図示を省略したカードリーダ内に搬送される。このとき、無端ベルト３５の搬送部材３６も矢印Ａ方向に走行し、スキャナー１０の矢印Ａ側の端部に位置付けられる。したがって、搬送部材３６の先端に取り付けられた清掃部材３７がスキャナー１０の読取り面１１の矢印Ｂ方向の端部から矢印Ａ方向の端部まで摺接するため、この清掃部材３７によって読取り面１１の汚れが除去される。
【００２２】
図示を省略したカードリーダにおいて情報処理されたカードＣが、図７に示すようにカード処理装置１のカード排出口９からカード搬送路６に挿入されると、これを図示を省略したセンサが検知することにより、モータ１３が逆方向へ駆動する。したがって、モータ１３の駆動は減速歯車機構１９および駆動伝達ベルト２４を介して駆動軸２０に伝達され、駆動軸２０が図中時計方向に回転する。
【００２３】
第２の搬送ローラ３１と第２のピンチローラ４１とに後端部が挟持されたカードＣは、第２の搬送ローラ３１の時計方向への回転により、これら両ローラ３１，４１に挟持されてカード搬送路６内を矢印Ｂ方向に搬送される。同時に、駆動軸２０に軸着されている駆動ローラ２５が時計方向へ回転し、かつ駆動伝達用ベルト２９を介して従動軸２７が時計方向へ回転するから、この従動軸２７に軸着された従動ローラ２８が時計方向へ回転する。したがって、駆動ローラ２５と従動ローラ２８間に張架された無端ベルト３５が時計方向に走行する。
【００２４】
第２の搬送ローラ３１と第２のピンチローラ４１とによって、カード搬送路６内を矢印Ｂ方向へ搬送されるカードＣの前端がこれら両ローラ３１，４１による挟持が解除されると、カードＣは第１の搬送ローラ２６と第１のピンチローラ３９とにも挟持されていない状態になる。この状態で、カードＣは一旦搬送が停止され、時計方向へ走行する無端ベルト３５の搬送部材３６が、カードＣの前端に係合することにより、カードＣは再び矢印Ｂ方向へわずかに搬送され、後端部が第１の搬送ローラ２６と第１のピンチローラ３９とによって挟持されると、両ローラ２６，３９とによって矢印Ｂ方向へ搬送され、カード挿入口８から返却される。このとき、無端ベルト３５の搬送部材３６も矢印Ｂ方向に走行し、スキャナー１０の矢印Ｂ側の端部に位置する。したがって、搬送部材３６の先端に取り付けられた清掃部材３７がスキャナー１０の読取り面１１の矢印Ａ方向の端部から矢印Ｂ方向の端部まで摺接するため、この清掃部材３７によって読取り面１１の汚れが除去される。
【００２５】
このように、カードＣを搬送する搬送部材３６にスキャナー１０の読取り面１１を清掃する清掃部材３７を設けたことにより、清掃部材３７を搬送する専用の駆動装置が不要になるため、装置の小型化を図るとともに製造コストを低減することができる。また、カードＣの搬送毎にスキャナー１０の読取り面１１を清掃することができるため、スキャナー１０でカードＣの情報を読み取る際は、常に読取り面１１が清掃された状態になっているので、スキャナー１０によってカードＣの情報を読み誤ることがない。
【図面の簡単な説明】
【００２６】
【図１】本発明に係るカード処理装置においてアッパーケースを外した状態を示す平面図である。
【図２】本発明に係るカード処理装置の側面図である。
【図３】図１におけるIII-III 線断面図である。
【図４】図１におけるIV-IV 線断面図である。
【図５】本発明に係るカード処理装置において、スキャナーでカードの情報を読み取っている状態を示す図１におけるIII-III 線断面図である。
【図６】本発明に係るカード処理装置において、スキャナーによるカードの情報の読み取りが終了し、搬送部材によってカードを搬送している状態を示す図１におけるIII-III 線断面図である。
【図７】本発明に係るカード処理装置において、スキャナーで情報が読み取られたカードを搬送している状態を示す図１におけるIV-IV 線断面図である。
【符号の説明】
【００２７】
１…カード処理装置、６…カード搬送路、８…カード挿入口、９…カード排出口、１０…スキャナー、１１…読取り面、１３…モータ、２５…駆動ローラ、２６…第１の搬送ローラ、３０…従動ローラ、３１…第２の搬送ローラ、３５…無端ベルト、３６…搬送部材、３７…清掃部材、３９…第１のピンチローラ、４１…第２のピンチローラ、Ｃ…カード。
【図１】
2006172087.tif 000003
【図２】
2006172087.tif 000004
【図３】
2006172087.tif 000005
【図４】
2006172087.tif 000006
【図５】
2006172087.tif 000007
【図６】
2006172087.tif 000008
【図７】
2006172087.tif 000009